(57)【要約】【課題】１枚の情報表示装置の裏表両面表示部パネルにて、背中合わせに陳列された２以上の商品情報を表示でき、しかも、商品の陳列位置に対応して表示領域レイアウトを自由に変更して表示でき、さらに、横一列に陳列された複数商品が背中合わせに陳列されるような場合でも、陳列した商品全体に対して、１枚の情報表示装置を配置して陳列品すべての情報を１枚の情報表示装置に表示することができる両面表示式長尺型電子情報表示パネルを提供する。【解決手段】電気的に駆動可能な表示媒体を２枚の電極付き基板間の空間に封止した構成のドットマトリックス型表示方式の情報表示パネルにおいて、それぞれが独立した２つの表示部パネルを背中合わせに配置するとともに、表示部パネルの表示領域が、縦横アスペクト比が１：２以上の長方形となるように構成した。【選択図】図１１
2009058804.tif 000002
【特許請求の範囲】
【請求項１】
電気的に駆動可能な表示媒体を２枚の電極付き基板間の空間に封止した構成のドットマトリックス型表示方式の情報表示パネルにおいて、それぞれが独立した２つの表示部パネルを背中合わせに配置するとともに、表示部パネルの表示領域が、縦横アスペクト比が１：２以上の長方形となるように構成したことを特徴とする両面表示式長尺型電子情報表示パネル。
【請求項２】
前記表示部パネルの表示領域を、縦方向の長さが３ｃｍ〜２０ｃｍで、横方向の長さが３０ｃｍ〜５ｍの長尺型長方形となるように構成したことを特徴とする請求項１に記載の両面表示式長尺型電子情報表示パネル。
【請求項３】
前記電気的に駆動可能な表示媒体を帯電粒子を含んで構成する表示媒体として２枚の電極付き基板間に封止し、対向する電極が形成する対電極間に電気信号に基づく電圧を付与することで表示媒体を移動させて表示情報の書き換えができるドットマトリックス表示方式の表示部パネルとして構成したことを特徴とする請求項１または２に記載の両面表示式長尺型電子情報表示パネル。
【請求項４】
前記表示部パネルを、対電極を対向交差するライン状電極にて形成する場合は、観察側基板に透明電極を短辺方向（短辺と平行な方向）に設け、背面側基板に金属電極を長辺方向（長辺に平行な方向）に設けて構成したことを特徴とする請求項１〜３のいずれか１項に記載の両面表示式長尺型電子情報表示パネル。
【請求項５】
書き換え信号に応じた書き換え用の駆動装置や駆動用電源（バッテリー）を、背面基板の裏側に搭載するよう構成したことを特徴とする請求項１〜４のいずれか１項に記載の両面表示式長尺型電子情報表示パネル。
【請求項６】
書き換え信号を、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）を用いて無線で入力するか、有線で入力することで、書き換え信号に応じて書き換え駆動装置が作動し、表示部パネルの情報表示領域全体の表示内容を書き換えるよう構成したことを特徴とする請求項５に記載の両面表示式長尺型電子情報表示パネル。
【発明の詳細な説明】
【技術分野】
【０００１】
本発明は、商品等を陳列するスペースの陳列商品の上方にある天井等に取り付け可能な裏表両面で表示できる長尺型（縦横アスペクト比が１：２以上）の情報表示パネルにおいて、電気的に駆動可能な表示媒体を２枚のライン状電極付き基板間に封入し、対向するライン状電極が形成する対電極間に電気信号に基づく電圧を付与して表示媒体を移動させて表示情報の書き換えができるドットマトリックス表示方式の表示部パネル２枚を有する情報表示パネルとして構成した両面表示式長尺型電子情報表示パネルに関するものである。
【背景技術】
【０００２】
従来、電気的に駆動可能な表示媒体を移動させて表示情報の書き換えができる電子棚札が知られているが、表示部の大きさとしては、縦（３ｃｍ程度〜１０ｃｍ程度）×横（５ｃｍ程度〜２０ｃｍ程度）の長方形で縦横アスペクト比では１：１．４程度（標準のＡ版、Ｂ版に対応する）に留まっていた（例えば、特許文献１参照）。
【０００３】
また、２枚の電子棚札を背中合わせに組み合わせて、陳列商品の上方の天井等に設置して利用することがあったが、棚札を設置した真下スペースに陳列された１つの商品に対応する情報表示を表裏の２面で表示するか、棚札を設置した真下スペースに背中合わせに陳列された商品に対応したそれぞれの情報表示を表裏の２面で表示するかを行っていた。
【特許文献１】特開２００５−３０１０３０号公報
【発明の開示】
【発明が解決しようとする課題】
【０００４】
上述した従来例のうち、背中合わせに陳列した商品に対応する位置に両面表示式に構成した棚札を配置する場合に、縦の長さが長いと陳列スペースと天井との間隔によっては対象商品によって棚札に表示された情報が隠れてしまって表示された情報が見れなくなってしまう問題があった。また、横一列に陳列した商品に対応する棚札として配置する場合に、陳列した各商品ごとに棚札として設置しているため、商品の陳列状況に合わせて棚札の設置位置も移動しなければならないという問題があった。
【０００５】
さらに、２枚の電子棚札を背中合わせに組み合わせて、陳列商品の上方の天井等に設置して利用することがあったが、棚札を設置した真下に陳列された１つの商品に対応する情報表示を表裏の２面で表示するか、棚札を設置した真下スペースに背中合わせに陳列された商品に対応したそれぞれの情報表示を表裏の２面で表示するかしかできず、陳列商品の位置と、棚札の位置とを合わせる必要から、商品の陳列方法や、棚札の設置、利用方法に制約が出てしまう問題があった。さらにまた、横一列に陳列した商品に対応する棚札として配置する場合に、横方向長さには隣の陳列商品との間に十分な余裕があるにも関わらず、表示部の横の長さが然程長くないため対象商品についての説明を十分にできないという問題があった。
【０００６】
本発明の目的は上述した問題点を解消して、１枚の情報表示装置の裏表両面表示部パネルにて、背中合わせに陳列された２以上の商品情報を表示でき、しかも、商品の陳列位置に対応して表示領域レイアウトを自由に変更して表示でき、さらに、横一列に陳列された複数商品が背中合わせに陳列されるような場合でも、陳列した商品全体に対して、１枚の情報表示装置を配置して陳列品すべての情報を１枚の情報表示装置に表示することができる両面表示式長尺型電子情報表示パネルを提供しようとするものである。
【課題を解決するための手段】
【０００７】
本発明の両面表示式長尺型電子情報表示パネルは、電気的に駆動可能な表示媒体を２枚の電極付き基板間の空間に封止した構成のドットマトリックス型表示方式の情報表示パネルにおいて、それぞれが独立した２つの表示部パネルを背中合わせに配置するとともに、表示部パネルの表示領域が、縦横アスペクト比が１：２以上の長方形となるように構成したことを特徴とするものである。
【０００８】
本発明の両面表示式長尺型電子情報表示パネルの好適例としては、表示部パネルの表示領域を、縦方向の長さが３ｃｍ〜２０ｃｍで、横方向の長さが３０ｃｍ〜５ｍの長尺型長方形となるように構成したこと、電気的に駆動可能な表示媒体を帯電粒子を含んで構成する表示媒体として２枚の電極付き基板間に封止し、対向する電極が形成する対電極間に電気信号に基づく電圧を付与することで表示媒体を移動させて表示情報の書き換えができるドットマトリックス表示方式の表示部パネルとして構成したこと、表示部パネルを、対電極を対向交差するライン状電極にて形成する場合は、観察側基板に透明電極を短辺方向（短辺と平行な方向）に設け、背面側基板に金属電極を長辺方向（長辺に平行な方向）に設けて構成したこと、がある。
【０００９】
また、本発明の両面表示式長尺型電子情報表示パネルの好適例としては、書き換え信号に応じた書き換え用の駆動装置や駆動用電源（バッテリー）を、背面基板の裏側に搭載するよう構成したこと、書き換え信号を、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）を用いて無線で入力するか、有線で入力することで、書き換え信号に応じて書き換え駆動装置が作動し、表示部パネルの情報表示領域全体の表示内容を書き換えるよう構成したこと、がある。
【発明の効果】
【００１０】
本発明によれば、１枚の情報表示装置の裏表両面表示部パネルにて、背中合わせに陳列された２以上の商品情報を表示でき、しかも、商品の陳列位置に対応して表示領域レイアウトを自由に変更して表示できるので、陳列商品の変化（陳列位置、量や説明内容等の変化）に応じた情報表示を容易に書き換えることができる。横一列に陳列された複数商品が背中合わせに陳列されるような場合でも、陳列した商品全体に対して、１枚の情報表示装置を配置して陳列品すべての情報を１枚の情報表示装置に表示することができる。
【００１１】
また、本発明によれば、情報の書き換えは無線または有線で１枚の情報表示装置の表裏の表示部パネル画面ごとに一括して行うことができるので、陳列商品に対応して情報表示装置の配置位置を移動する必要がなくなり、情報書き換え表示が短時間でできる。
【００１２】
さらに、本発明によれば、各陳列商品に対して、横方向に余裕ある表示スペース（表示領域）を有する表示部パネルとできるので、これまでよりも多くの商品情報を表示することができる。
【００１３】
さらにまた、本発明によれば、表示領域の背面側の長辺に平行方向に、電気抵抗の低い金属電極をライン電極として配置し、表示領域の表示面側の短辺に平行方向に、ＩＴＯ（酸化インジウム錫）などの透明電極をライン電極として配置すれば、両面表示式長尺型電子情報表示パネルを、安価なパッシブ駆動型の情報表示装置として得ることができる。このようにアスペクト比が大きな表示領域では、電気抵抗が高いＩＴＯ等の透明ライン電極を短辺に平行配置し、電気抵抗の低い金属ライン電極を長辺に平行配置することで長尺電極の端部で電圧降下などの不具合のため表示コントラストの低下をまねくことがなくなり表示ムラをなくすことができる。
【発明を実施するための最良の形態】
【００１４】
＜本発明の両面表示式長尺型電子情報表示パネルの概要について＞
本発明の両面表示式長尺型電子情報表示パネルの特徴は、電気的に駆動可能な表示媒体を２枚の電極付き基板間の空間に封止した構成のドットマトリックス型表示方式の情報表示パネルにおいて、それぞれが独立した２つの表示部パネルを背中合わせに配置するとともに、表示部パネルの表示領域が、縦横アスペクト比が１：２以上の長方形となるように構成したこと、特に、表示部パネルの表示領域を、縦方向の長さが３ｃｍ〜２０ｃｍで、横方向の長さが３０ｃｍ〜５ｍの長尺型長方形となるように構成したことにある。以下、本発明の両面表示式長尺型電子情報表示パネルの各構成の概要について説明する。
【００１５】
（表示部パネルについて）
情報表示装置の表示部パネルは、電気的に駆動可能な表示媒体を一方が透明な２枚の基板間空間に封止した構成のドットマトリックス表示方式で構成する。表示媒体を、帯電粒子を含んで構成し帯電粒子を電界によって電気的に駆動させる方式の表示部パネルでは、基板間空間には隔壁を設けて空間を複数の小部屋（セル）に仕切り、表示媒体をセル内に配置するのが好ましい。これにより封入した帯電粒子（表示媒体）が偏ることを防止できる。帯電粒子（表示媒体）をマイクロカプセルに封止した場合には、このマイクロカプセルがセル（小部屋）の機能を有するので、さらにセル（小部屋）を設けなくても良い。
【００１６】
電気的に駆動可能な表示媒体としては、帯電粒子を気体中空間で駆動する帯電粒子移動方式や、帯電粒子を絶縁液体中で駆動する帯電粒子移動方式（電気泳動方式）や、半分ずつ帯電極性および色が異なる部分で構成した帯電粒子を絶縁液体とともにマイクロカプセル中で駆動（回転）する回転ボール方式や、コレステリック液晶方式、エレクトロクロミック方式等の表示メモリー（ｂｉｓｔａｂｌｅ）性を有する方式のものや、表示メモリー性のない従来の液晶方式のものにも適用できる。上記セルを、３つのセル（ピクセル）を表示単位（１ドット）とし、それぞれのピクセルに三原色カラーフィルターを配置し、白黒２色の表示媒体によってカラードット表示することもできる。
【００１７】
（駆動方式について）
帯電粒子を含んだ構成の表示媒体を電界駆動させる方式では、２枚の基板に電極を対で設け、この対電極間に形成された電界によって帯電粒子（表示媒体）を駆動させて画像等の情報表示を書き換える。対電極は、ライン電極を互いに対向直交交差させて形成したり、個別電極を対向させて形成したりすることができる。いずれの場合もドットマトリックス表示方式の情報表示用パネルとすることができる。
【００１８】
帯電粒子を含んで構成される表示媒体駆動方式のパネルでは、駆動しきい値があるためパッシブ駆動が可能である。ライン電極で構成した対電極の場合にはパッシブ駆動方式が適用でき、個別電極で構成した対電極の場合にはアクティブ駆動方式が適用できる。いずれの場合もドットマトリックス表示方式の情報表示用パネルとすることができる。
【００１９】
ライン電極でパッシブ駆動方式を用いる場合、ＩＴＯ等の透明導電材料による透明電極は透明基板側に、表示部短辺に平行に設け、良導電性の金属電極は背面基板側に、表示部長辺に平行に設ける。これにより表示部のいずれの位置においても均一な電界が得られるようになり、表示部画面全体で均一な表示ができる。
【００２０】
（各構成部材について）
基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートを用いるが、観察側表示面となる基板には透明なものを用いる。
【００２１】
表示領域の短辺方向に配置するＩＴＯ等の透明ライン状電極と、表示領域の長辺方向に配置する銅等のライン状金属電極とで、ライン状金属電極の幅と透明ライン状電極の幅とは同じにすることが好ましいが、透明ライン状電極の幅の方をやや大きくすることも好ましい。
【００２２】
対向して配置するライン状電極のうち短辺対応部分として表示面側透明基板には、酸化インジウム錫（ＩＴＯ）、酸化インジウム、アルミニウムドープ酸化亜鉛（ＡＺＯ）、亜鉛ドープ酸化インジウム（ＩＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類を用いて透明なライン電極を形成した。対向して配置するライン状電極のうち長辺対応部分として背面側基板には、銅、アルミニウム、銀、ニッケル、金、クロム、およびこれらを主成分とする合金（例えば、Ｎｄ-Ｃｒ）等の金属ライン電極を形成する。
【００２３】
電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法のほか、金属箔をラミネートする方法（例えば、圧延銅箔など）が用いられる。パターン形成可能で導電性である上記材料を好適に用いることができる。
【００２４】
透明導電材料で形成する電極の厚みは、導電性が確保でき光透過性に支障がなければ良く、０．０１〜１０μｍ、好ましくは０．０５〜５μｍである。また、金属材料で形成する電極の厚みも、導電性が確保できれば良く、０．０１〜１０μｍ、好ましくは０．０１〜５μｍである。
【００２５】
＜表示部パネルの構成について＞
次に、本発明の両面表示式長尺型電子情報表示パネルに用いる表示部パネルの構成例を、図１〜図１０を参照して説明する。
【００２６】
まず、本発明の両面表示式長尺型電子情報表示パネルに用いる表示部パネルの基本的な構成の一例として帯電粒子を含んで構成した表示媒体移動方式の表示部パネルについて説明する。この表示部パネルでは、対向する２枚の基板間の空間に封入した少なくとも１種類以上の粒子で構成された光学的反射率と帯電性とを有する表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００２７】
図１に示す例では、帯電粒子気体中電界駆動方式の白黒ドットマトリックス表示の表示部パネルの例を示しており、少なくとも１種以上の粒子から構成される光学的反射率および帯電特性の異なる少なくとも２種以上の粒子を含んで構成された表示媒体３（ここでは表示用白色粒子３Ｗａの粒子群からなる白色表示媒体３Ｗと表示用黒色粒子３Ｂａの粒子群からなる黒色表示媒体３Ｂを示す）を、隔壁４で形成された各セルにおいて、基板１に設けたライン状の電極５と基板２に設けたライン状の電極６との間に電圧を印加することにより発生する電界に応じて、基板１、２と垂直に移動させる。そして、図１に示すように、各セル毎に白色表示媒体３Ｗを観察者に視認させて白色ドット表示を行うか、あるいは、黒色表示媒体３Ｂを観察者に視認させて黒色ドット表示を行って、白／黒ドット表示している状態を示している。
【００２８】
図１に示す例において、表示面側に配置されるライン状の電極６は、透明で短辺に平行に配置するとともに、背面側に配置されるライン状の電極５は、必ずしも透明である必要はなく長辺に平行に配置する。また、図１に示す例では、ライン状の電極５、６を用いたドットマトリックス型の表示部パネルを示したが、各セルに対応した個別電極対をマトリックス配置した表示部パネルとすることもできる。これらの変形例は、以下の各実施例においても同様に適用することができる。
【００２９】
図２に示す例では、帯電粒子気体中電界駆動方式のカラー表示の表示部パネルの例を示しており、図１に示す構造のパネルに加えて、表示媒体としてはセル１１−１〜１１−３の全てに白色帯電粒子を含んで構成した白色表示媒体３Ｗと黒色帯電粒子を含んで構成した黒色表示媒体３Ｂとを充填し、第１のセル１１−１の観察者側に赤色カラーフィルター１２Ｒを設け、第２のセル１１−２の観察者側に緑色カラーフィルター１２Ｇを設け、第３のセル１１−３の観察者側に青色カラーフィルター２２ＢＬを設け、第１のセル１１−１、第２のセル１１−２および第３のセル１１−３の３個のセルで表示単位（１ドット）を構成している。本例では、カラー表示を行う際に、図２に示すように、観察者側に、第１セル１１−１〜第３のセル１１−３の全てにおいて白色表示媒体３Ｗを移動することで、観察者に対し白色ドット表示を行うことができる。あるいは、観察者側に、第１セル１１−１〜第３のセル１１−３の全てにおいて黒色表示媒体３Ｂを移動することで、観察者に対し黒色ドット表示を行うことができる。なお、図２において、各セル内の表示媒体の移動のさせ方で、多色カラードット表示が行える。ここで白色帯電粒子と黒色帯電粒子とは、その帯電極性が互いに反対となるようにする。
【００３０】
図３に示す例では、帯電粒子気体中電界駆動方式のカラー表示の表示部パネルの例を示しており、第１のセル１１−１には、白色帯電粒子３Ｗａを含んで構成した白色表示媒体３Ｗと赤色帯電粒子３Ｒａを含んで構成した赤色表示媒体３Ｒとを充填し、第２のセル１１−２には、白色帯電粒子３Ｗａを含んで構成した白色表示媒体３Ｗと青色帯電粒子３ＢＬａを含んで構成した青色表示媒体３ＢＬとを充填し、第３のセル１１−３には、白色帯電粒子３Ｗａを含んで構成した白色表示媒体３Ｗと緑色帯電粒子３Ｇａを含んで構成した緑色表示媒体３Ｇとを充填している。図３に示す表示単位（画素）ではＲ色でドット表示している。
【００３１】
図４に示す例では、マイクロカプセル型帯電粒子液体中電界駆動方式の白黒ドットマトリックス表示の表示部パネルの例を示しており、白色帯電粒子３Ｗａと黒色帯電粒子３Ｂａとを絶縁液体１５とともに充填したマイクロカプセル１６を配置して、表示部パネルを構成している。図４に示す例では、白／黒ドット表示している状態を示している。
【００３２】
図５および図６はそれぞれ３枚の基板で構成される両面表示式表示部パネルの一例を示す図である。図５および図６に示す例では、表示面となる２枚の基板２は透明とし、中央基板となる基板１は非透明、透明のいずれでもよい。図５に示す例では、白黒表示の両面表示式表示部パネルの一例を示している。図６に示す例では、カラーフィルター１２Ｒ、１２Ｇ、１２ＢＬを用いた、カラー表示の両面表示式表示部パネルの一例を示している。
【００３３】
図７および図８はそれぞれ２枚の表示部パネルで構成される両面表示式表示部パネルの一例を示す図である。図７および図８に示す例では、表示面となる２枚の基板２は透明とし、背面となる２枚の基板１は非透明、透明のいずれでもよい。図７に示す例では、表示部パネル１と表示部パネル２とを接着層２１により貼り合わせて構成した、白黒表示の両面表示式表示部パネルの一例を示している。図８に示す例では、カラーフィルター１２Ｒ、１２Ｇ、１２ＢＬを用いた表示部パネル１と表示部パネル２とを接着層２１により貼り合わせて構成した、カラー表示の両面表示式表示部パネルの一例を示している。
【００３４】
図９および図１０はそれぞれ帯電粒子気体中電界駆動方式のエリアカラー表示の表示部パネルの一例を示す図である。図９に示す例では、白色表示媒体３Ｗ／黒色表示媒体３Ｂを配置した表示領域と、白色表示媒体３Ｗ／赤色表示媒体３Ｒを配置した表示領域との上下２つの表示エリアを使ってエリアカラー表示するよう構成している。図１０に示す例では、白色表示媒体３Ｗ／赤色表示媒体３Ｒを配置した表示領域と、白色表示媒体３Ｗ／黒色表示媒体３Ｂを配置した表示領域と、白色表示媒体３Ｗと青色表示媒体３ＢＬとの上中下３つの表示エリアを使ってエリアカラー表示するよう構成している。
【００３５】
＜使用例について＞
次に、本発明の両面表示式長尺型電子情報表示パネルの使用例を、図１１〜図１６を参照して説明する。
【００３６】
図１１（ａ）〜（ｄ）はそれぞれ本発明の両面表示式長尺型電子情報表示パネルの一使用例を説明するための図である。図１１（ａ）はその斜視図を示し、図１１（ｂ）は図１１（ａ）を上から見た状態を示し、図１１（ｃ）、（ｄ）はそれぞれ図１１（ｂ）におけるＡ−Ａ線に沿った断面を示す。図１１（ａ）〜（ｄ）に示す例においては、背中合わせの横一列の商品陳列スペース２１の上方に、本発明の両面表示式長尺型電子情報表示パネル２２を配置している。２３は商品陳列スペース２１に並べられた商品である。両面表示式長尺型電子情報表示パネル２２は、表示部パネルＡと表示部パネルＢとを仕切り板２４の両面に設置して構成している。これにより、表示部パネルＡの表示と表示部パネルＢの表示とを、仕切り板２４で分割された商品陳列スペース２１のそれぞれの商品２３の表示に用いることができる。図１１（ｃ）に示す例では、２枚の表示部パネルＡと表示部パネルＢとを背中合わせにして、両面表示式長尺型電子情報表示パネル２２を構成している。図１１（ｄ）に示す例では、２枚の表示部パネルＡ、Ｂを中心線で折り曲げて構成して、両面表示式長尺型電子情報表示パネル２２を構成している。
【００３７】
図１２（ａ）、（ｂ）および図１３（ａ）、（ｂ）はそれぞれ本発明の両面表示式長尺型電子情報表示パネルの他の使用例を説明するための図である。図１２（ａ）および図１３（ａ）はその正面図を示し、図１２（ｂ）および図１３（ｂ）はその側面図を示している。図１２（ａ）、（ｂ）に示す例では、商品２３を並べる商品陳列スペース上方の天井２５に、本発明の表示部パネルＡと表示部パネルＢとから構成される両面表示式長尺型電子情報表示パネル２２を配置している。図１３（ａ）、（ｂ）に示す例では、商品２３を並べる２箇所の商品陳列スペース間の間仕切り板２６の上方に、本発明の表示部パネルＡと表示部パネルＢとから構成される両面表示式長尺型電子情報表示パネル２２を配置している。
【００３８】
図１４（ａ）〜（ｄ）はそれぞれ本発明の両面表示式長尺型電子情報表示パネルのさらに他の使用例を説明するための図である。図１４（ａ）はその正面図を示し、図１４（ｂ）はその側面図を示し、図１４（ｃ）、（ｄ）はそれぞれ表示部パネルの表示状態の一例を示している。図１４（ａ）〜（ｄ）に示す例では、本発明の両面表示式長尺型電子情報表示パネル２２を電車内の中吊り広告として用いた例を示している。そのために、図１４（ａ）、（ｂ）に示す例では、本発明の表示部パネルＡと表示部パネルＢとから構成される両面表示式長尺型電子情報表示パネル２２を、電車内の中吊り広告取り付け部２７に装着している。そして、両面表示式長尺型電子情報表示パネル２２の表示部パネルＡ、Ｂ以外の部分に、外部から広告内容を書き換えるために用いる、信号受信装置部２８、駆動装置部２９、電源（電池）３０を設けている。なお、中吊り広告として、図１４（ａ）に示すように表示部パネルＡを２画面分割して表示し、図１４（ｂ）に示すように表示部パネルＢを全面表示したり、表示部パネルＡおよび表示部パネルＢともに分割して表示したり、ともに分割しないで全面表示したり、自由な配置で表示することができる。
【００３９】
図１５（ａ）、（ｂ）および図１６（ａ）、（ｂ）はそれぞれ本発明の両面表示式長尺型電子情報表示パネルのさらに他の使用例を説明するための図である。図１５（ａ）、（ｂ）に示す例では、商品の陳列位置に合わせて表示部パネルに分割表示するように、画面全体を書き換えている。図１５（ａ）に表側表示部パネルの表示例を示し、図１５（ｂ）に裏側表示部パネルの表示例を示すように、各商品情報（産地、値段、コメント）と、各情報の区切りを示す「線」画像とを、１画面に表示している。図１６（ａ）、（ｂ）に示す例では、商品の輪列位置に合わせて表側表示部パネルに分割表示する内容と、裏側表示部パネルに分割表示する内容とを、独立して書き換えている。図１６（ａ）に示す表側表示部パネルには、商品（リンゴ）ごとに情報（産地、値段、コメント）と、各情報の区切りを示す「線」画像とを、１画面に表示している。図１６（ｂ）に示す裏側表示部パネルには、商品（みかん）ごとに情報（産地、値段、コメント）と、各情報の区切りを示す「線」画像とを、１画面に表示している。
【００４０】
＜作製方法について＞
次に、本発明の両面表示式長尺型電子情報表示パネルの作製方法を、図１７〜図２０を参照して説明する。
【００４１】
図１７は本発明の両面表示式長尺型情報表示パネルの作製方法の一例を説明するための図である。図１７に示す例では、表示面側の基板２および背面側の基板１を共用し、２個の表示部パネルＡ、Ｂを一枚の表示部パネルとして形成し、表示部パネルの中心線で折り曲げて、表裏両面が表示部パネルＡと表示部パネルＢとから構成される両面表示式長尺型情報表示パネル２２を得ている。
【００４２】
図１８は本発明の両面表示式長尺型情報表示パネルの作製方法の他の例を説明するための図である。図１８に示す例では、予め別々に形成した表示部パネルＡと表示部パネルＢとを接着層２１を介して背中合わせに貼り合わせて、表裏両面が表示部パネルＡと表示部パネルＢとから構成される両面表示式長尺型情報表示パネル２２を得ている。
【００４３】
図１９は本発明の両面表示式長尺型情報表示パネルの作製方法のさらに他の例を説明するための図である。図１９に示す例では、２個の表示面側の基板２と１個の背面側の基板１とを使用して、２個の表示部パネルＡ、Ｂを一枚の表示部パネルとして形成し、表示部パネルの中心線で折り曲げて、表裏両面が表示部パネルＡと表示部パネルＢとから構成される両面表示式長尺型情報表示パネル２２を得ている。図１９に示す例では、背面側の基板１は樹脂等の折り曲げ可能な基板で構成する一方、表示面側の基板２はガラス透明基板で構成しても、本発明の両面表示式長尺型情報表示パネル２２を作製することができる。
【００４４】
図２０は本発明の両面表示式長尺型情報表示パネルの作製方法のさらに他の例を説明するための図である。図２０に示す例では、透明のライン電極６が短辺に平行方向に配置された２枚の透明な基板２と、金属ライン電極５が長辺に平行方向に、基板の表裏両面に配置された中央基板としての基板１とを、基板１の両側に基板２を貼り合わせることで、表裏両面が表示部パネルＡと表示部パネルＢとから構成される両面表示式長尺型情報表示パネル２２を得ている。
【００４５】
＜ライン状の電極配置について＞
次に、本発明の両面表示式長尺型情報表示パネルにおけるライン状の電極配置を、図２１〜図２２を参照して説明する。
【００４６】
図２１（ａ）〜（ｃ）はそれぞれ本発明の両面表示式長尺型電子情報表示パネルにおけるライン状の電極配置の一例を説明するための図である。本例では、図２１（ａ）に示すように、背面側の基板１に、ライン状の電極５を、背面基板１の長辺と平行な方向に配置する。点線で囲んだ四角部分が表示部パネルを構成する領域であり、表示部パネルとなる領域の外側に、ライン状の電極５から延長した引き出し線部３１を設けている。また、図２１（ｂ）に示すように、表示面側の基板２に、ライン状の透明電極６を、表示面側の基板２の短辺と平行な方向に配置する。本例でも点線で囲んだ四角部分が表示部パネルを構成する領域であり、ライン状の透明電極６から延長した引き出し線部３２を設けている。図２１（ｃ）は、背面側の基板１と表示面側の基板２とを重ね合わせたパネルを表示面側から見た様子を示す。引き出し線部３１、３２は、電極５、６間に電圧を印加するため、電源側接続用部材３３、３４などを介して電源側に接続されている。電源側接続用部材３３、３４はＴＣＰ（Tape Carrier Package）などから構成され、長辺側の電源側接続用部材３４は複数に分割して構成されている。
【００４７】
図２２（ａ）〜（ｃ）はそれぞれ電極の状態をより詳細に説明するための図で、ここでは電源側接続実装にＣＯＧ（Chip on Glass）を用いている。図２２（ａ）はライン状の電極５を示す図であり、図２２（ｂ）はライン状の透明基板６を示す図である。図２２（ａ）に示す長辺に平行な方向の電極５には、ネオジウムクロム合金、銅、金、銀などの良導電性で抵抗の小さな金属材料を用いている。図２２（ｂ）に示す短辺に平行な透明電極６には、酸化インジウム錫、酸化インジウム亜鉛などの透明な導電性材料を用いている。図２２（ｃ）にはＣＯＧとして用いるChipを１枚の長尺物として示しているが、通常は電極数に合わせた複数のChipを用いる。
【００４８】
図２２（ｃ）は基板に形成されたライン状の電極が直交するように基板を重ね合わせた時の四角形格子状配置セルと対電極との関係を示している。図２２（ｃ）に示す例において、セルの配置は、格子状またはライン状としている。セルの形状は、四角形、六角形、三角形などの多角形や、円形、楕円形、レーストラック形などいずれでもよいが、対電極の重なり部分で形成される四角形が隔壁４に内接するか、もしくは、隔壁４の内側に納まるようにする。セルのコーナー部となる隔壁４の接合部には丸みを形成することが好ましい。
【００４９】
このように、表示領域の背面側の長辺に平行方向に、電気抵抗の低い金属電極をライン電極として配置し、表示領域の表示面側の短辺に平行方向に、ＩＴＯ（酸化インジウム錫）などの透明電極をライン電極として配置すれば、安価なパッシブ駆動型の情報表示装置が得られる。このようにアスペクト比が大きな表示領域では、電気抵抗が高いＩＴＯ等の透明ライン電極を短辺に平行配置し、電気抵抗の低い金属ライン電極を長辺に平行配置することで長尺電極の端部で電圧降下などの不具合のため表示コントラストの低下をまねくことがなくなり表示ムラをなくすことができる。
【００５０】
＜受信装置および駆動装置について＞
図２３（ａ）〜（ｈ）はそれぞれ本発明の両面表示式長尺型電子情報表示パネルにおける受信装置および駆動装置の一例について説明するための図である。図２３（ａ）、（ｅ）、（ｇ）の例では、どちらの画面を書き換えるかという信号とともに書き換え情報を送信することで、１個の受信装置部２８と、１個の駆動装置部２９とで、２画面の情報書き換えを行うことができる。もちろん、図２３（ｂ）〜（ｄ）、（ｆ）、（ｈ）の例のように、２画面それぞれに、受信装置部２８と駆動装置部２９とを装備して、２画面を独立に書き換えることもできる。この際、図２３（ｂ）、（ｆ）、（ｈ）の例のように、背面側の基板１が共通の場合は、受信装置部２８と駆動装置部２９とを共通の背面側の基板１に搭載する。一方、図２３（ｃ）、（ｄ）の例のように、２画面を２個の表示部パネルを背中合わせに貼り合わせて構成する場合は、それぞれの表示部パネルの背面側の基板に、受信装置部２８と駆動装置部２９とを搭載する。
【００５１】
上述した例において、書き換え信号は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）などを用いて無線で入力したり、有線で入力したりするようにできる。書き換え信号に応じて書き換え駆動装置が作動し、情報表示領域全体の表示内容を書き換える。
【実施例】
【００５２】
以下、本発明の実施例を示して、本発明をさらに具体的に説明するが、本発明は下記実施例に限定されるものではない。
【００５３】
以下の工程によって、白色負帯電粒子を含んで構成した表示媒体と黒色正帯電粒子を含んで構成した表示媒体を用いた表示部パネルを製作した。
（１）基板への隔壁（リブ）および電極パターンの形成工程
（２）基板への表示媒体の充填工程
（３）隔壁上の不要な表示媒体の除去工程
（４）隔壁への接着剤層形成工程
（５）表示面側基板と、背面側基板との貼り合わせ工程
【００５４】
＜実施例１＞
厚さ２００μｍの２枚の長尺ガラス基板１の表示領域（１０ｃｍ×２００ｃｍ）表面に、３０Ω／□のＩＴＯ膜（厚さ：１μｍ）を形成後、フォトレジスト法によって、長さ１０ｃｍ、幅３００μｍのライン状ＩＴＯ電極を表示領域の短辺に平行方向にパターン形成した。もう一方の厚さ２００μｍの長尺ポリエチレンテレフタレート（ＰＥＴ）基板２上に２個の表示領域（１０ｃｍ×２００ｃｍ）とする部分の表面長辺方向に、スパッタ法によって、長さ２００ｃｍ、幅３００μｍのライン状銅電極をパターン形成した。
その後、ＩＴＯ電極を形成した２枚の基板１それぞれに、フォトレジスト法によって、３２０μｍ□の四角形開口部（この部分が表示セルとなる）および線幅３０μ高さ４０μｍの格子状の隔壁パターンを作製して、隔壁付基板１とした。
白色表示媒体（負帯電）と黒色表示媒体（正帯電）とを合せて２５vol％になるよう同容積量で２枚の基板１のセルに配置した後、この２枚の基板１を基板２の電極をパターニングした２個の表示領域の位置と対応するように貼り合せて、２個の表示領域をもつ長尺パネルを得た。
次にガラス基板が並列配置された間の背面側基板を折り曲げて、表裏両面に表示領域を有する両面表示式長尺型電子情報表示パネルを得た。
情報表示装置を得た。
【００５５】
＜実施例２＞
厚さ２００μｍの２枚の長尺ポリエチレンテレフタレート（ＰＥＴ）基板１、２を準備し、ＰＥＴ基板１上に２個の表示領域（１０ｃｍ×２００ｃｍ）とする部分の表面に、３０Ω／□のＩＴＯ膜（厚さ：１μｍ）を形成後、フォトレジスト法によって、長さ１０ｃｍ、幅３００μｍのライン状ＩＴＯ電極を表示領域の短辺に平行方向にパターン形成した。もう一方のＰＥＴ基板２の２個の表示領域（１０ｃｍ×２００ｃｍ）とする部分の表面長辺方向に、スパッタ法によって、長さ２００ｃｍ、幅３００μｍのライン状銅電極をパターン形成した。
その後、ＩＴＯ電極を形成したＰＥＴ基板１上の２個の表示領域となる部分それぞれに、フォトレジスト法によって、３２０μｍ□の四角形開口部（この部分が表示セルとなる）および線幅３０μ高さ４０μｍの格子状の隔壁パターンを作製して、隔壁付ＰＥＴ基板１とした。
白色表示媒体（負帯電）と黒色表示媒体（正帯電）とを合せて２５vol％になるよう同容積量で２個の表示領域となる部分のセルに配置した後、このＰＥＴ基板１の２個の表示領域の位置と、ＰＥＴ基板２の電極をパターニングした２個の表示領域の位置とが対応するように貼り合せて、２個の表示領域をもつ長尺パネルを得た。
次に２個の表示領域が並列配置された間でパネルを折り曲げて、表裏両面に表示領域を有する両面表示式長尺型電子情報表示パネルを得た。
【００５６】
＜実施例３＞
厚さ２００μｍの長尺ガラス基板１の表示領域（１０ｃｍ×２００ｃｍ）表面に、３０Ω／□のＩＴＯ膜（厚さ：１μｍ）を形成後、フォトレジスト法によって、長さ１０ｃｍ、幅３００μｍのライン状ＩＴＯ電極を表示領域の短辺に平行方向にパターン形成した。もう一方の厚さ２００μｍの長尺ガラス基板２上の表示領域（１０ｃｍ×２００ｃｍ）表面長辺方向に、スパッタ法によって、長さ２００ｃｍ、幅３００μｍのライン状銅電極をパターン形成した。
その後、ＩＴＯ電極を形成した基板１に、フォトレジスト法によって、３２０μｍ□の四角形開口部（この部分が表示セルとなる）および線幅３０μ高さ４０μｍの格子状の隔壁パターンを作製して、隔壁付基板１とした。
白色表示媒体（負帯電）と黒色表示媒体（正帯電）とを合せて２５vol％になるよう同容積量で基板１のセルに配置した後、基板１の表示領域と、基板２の電極をパターニングした表示領域との位置が対応するように貼り合せて、１個の表示領域をもつ長尺パネルを得た。
同様にしてもう一枚長尺表示部パネルを作製し、２枚の長尺表示部パネルを背中合わせに貼り合せて、表裏両面に表示領域を有する両面表示式長尺型電子情報表示パネルを得た。
【００５７】
＜実施例４＞
厚さ２００μｍの２枚の長尺ガラス基板１の表示領域（１０ｃｍ×２００ｃｍ）表面に、３０Ω／□のＩＴＯ膜（厚さ：１μｍ）を形成後、フォトレジスト法によって、長さ１０ｃｍ、幅３００μｍのライン状ＩＴＯ電極を表示領域の短辺に平行方向にパターン形成した。
もう１枚、厚さ２００μｍの長尺ガラス基板２の表裏両面上の表示領域（１０ｃｍ×２００ｃｍ）とする部分の長辺方向に、スパッタ法によって、長さ２００ｃｍ、幅３００μｍのライン状銅電極をパターン形成した。
その後、ＩＴＯ電極を形成した２枚の基板１それぞれに、フォトレジスト法によって、３２０μｍ□の四角形開口部（この部分が表示セルとなる）および線幅３０μ高さ４０μｍの格子状の隔壁パターンを作製して、隔壁付基板１とした。
白色表示媒体（負帯電）と黒色表示媒体（正帯電）とを合せて２５vol％になるよう同容積量で２枚の基板１のセルにそれぞれ配置した後、基板１の表示領域と、基板２の両面に電極をパターニングした表示領域との位置がそれぞれ対応するように貼り合せて、両面に電極がパターニングされた基板２を２枚の基板１が挟む構造の長尺パネルとして、表裏両面に表示領域を有する両面表示式長尺型電子情報表示パネルを得た。
【００５８】
＜実施例５＞
厚さ２００μｍの２枚の長尺ポリエチレンテレフタレート（ＰＥＴ）基板１、２を準備し、ＰＥＴ基板１上に２個の表示領域（４０ｃｍ×１００ｃｍ）とする部分の表面に、３０Ω／□のＩＴＯ膜（厚さ：５μｍ）を形成後、フォトレジスト法によって、長さ４０ｃｍ、幅３００μｍのライン状ＩＴＯ電極を表示領域の短辺に平行方向にパターン形成した。もう一方のＰＥＴ基板２の２個の表示領域（４０ｃｍ×１００ｃｍ）とする部分の表面長辺方向に、スパッタ法によって、長さ１００ｃｍ、幅３００μｍのライン状銅電極をパターン形成した。
その後、ＩＴＯ電極を形成したＰＥＴ基板１上の２個の表示領域となる部分それぞれに、フォトレジスト法によって、３２０μｍ□の四角形開口部（この部分が表示セルとなる）および線幅３０μ高さ４０μｍの格子状の隔壁パターンを作製して、隔壁付ＰＥＴ基板１とした。
白色表示媒体（負帯電）と黒色表示媒体（正帯電）とを合せて２５vol％になるよう同容積量で２個の表示領域となる部分のセルに配置した後、このＰＥＴ基板１の２個の表示領域の位置と、ＰＥＴ基板２の電極をパターニングした２個の表示領域の位置とが対応するように貼り合せて、２個の表示領域をもつ長尺パネルを得た。
次に２個の表示領域が並列配置された間でパネルを折り曲げて、表裏両面に表示領域を有する両面表示式長尺型電子情報表示パネルを得た。
【産業上の利用可能性】
【００５９】
本発明の両面表示式長尺型電子情報表示パネルは、陳列商品上方の天井等に設置する値札や棚札、説明書、ＰＯＰ（Ｐｏｉｎｔ  ｏｆ  Ｐｒｅｓｅｎｃｅ、Ｐｏｉｎｔ  ｏｆ  Ｐｕｒｃｈａｓｅ  ａｄｖｅｒｔｉｓｉｎｇ）、広告、情報ボード等の電子情報表示装置などに適用できる。
【図面の簡単な説明】
【００６０】
【図１】本発明の両面表示式長尺型電子情報表示パネルに用いる表示部パネルの構成の一例を説明するための図である。
【図２】本発明の両面表示式長尺型電子情報表示パネルに用いる表示部パネルの構成の他の例を説明するための図である。
【図３】本発明の両面表示式長尺型電子情報表示パネルに用いる表示部パネルの構成のさらに他の例を説明するための図である。
【図４】本発明の両面表示式長尺型電子情報表示パネルに用いる表示部パネルの構成のさらに他の例を説明するための図である。
【図５】本発明の両面表示式長尺型電子情報表示パネルに用いる表示部パネルの構成のさらに他の例を説明するための図である。
【図６】本発明の両面表示式長尺型電子情報表示パネルに用いる表示部パネルの構成のさらに他の例を説明するための図である。
【図７】本発明の両面表示式長尺型電子情報表示パネルに用いる表示部パネルの構成のさらに他の例を説明するための図である。
【図８】本発明の両面表示式長尺型電子情報表示パネルに用いる表示部パネルの構成のさらに他の例を説明するための図である。
【図９】本発明の両面表示式長尺型電子情報表示パネルに用いる表示部パネルの構成のさらに他の例を説明するための図である。
【図１０】本発明の両面表示式長尺型電子情報表示パネルに用いる表示部パネルの構成のさらに他の例を説明するための図である。
【図１１】（ａ）〜（ｄ）はそれぞれ本発明の両面表示式長尺型電子情報表示パネルの一使用例を説明するための図である。
【図１２】（ａ）、（ｂ）はそれぞれ本発明の両面表示式長尺型電子情報表示パネルの他の使用例を説明するための図である。
【図１３】（ａ）、（ｂ）はそれぞれ本発明の両面表示式長尺型電子情報表示パネルのさらに他の使用例を説明するための図である。
【図１４】（ａ）〜（ｄ）はそれぞれ本発明の両面表示式長尺型電子情報表示パネルのさらに他の使用例を説明するための図である。
【図１５】（ａ）、（ｂ）はそれぞれ本発明の両面表示式長尺型電子情報表示パネルのさらに他の使用例を説明するための図である。
【図１６】（ａ）、（ｂ）はそれぞれ本発明の両面表示式長尺型電子情報表示パネルのさらに他の使用例を説明するための図である。
【図１７】本発明の両面表示式長尺型情報表示パネルの作製方法の一例を説明するための図である。
【図１８】本発明の両面表示式長尺型情報表示パネルの作製方法の他の例を説明するための図である。
【図１９】本発明の両面表示式長尺型情報表示パネルの作製方法のさらに他の例を説明するための図である。
【図２０】本発明の両面表示式長尺型情報表示パネルの作製方法のさらに他の例を説明するための図である。
【図２１】（ａ）〜（ｃ）はそれぞれ本発明の両面表示式長尺型電子情報表示パネルにおけるライン状の電極配置の一例を説明するための図である。
【図２２】（ａ）〜（ｃ）はそれぞれ電極の状態をより詳細に説明するための図である。
【図２３】（ａ）〜（ｈ）はそれぞれ本発明の両面表示式長尺型電子情報表示パネルにおける受信装置および駆動装置の一例について説明するための図である。
【符号の説明】
【００６１】
１、２  基板
３  表示媒体（粒子群） 
３Ｗ  白色表示媒体 
３Ｂ  黒色表示媒体
３Ｒ  赤色表示媒体
３Ｇ  緑色表示媒体
３ＢＬ  青色表示媒体
３Ｗａ  白色表示用粒子 
３Ｂａ  黒色表示用粒子
３Ｒａ  赤色表示用粒子
３Ｇａ  緑色表示用粒子
３ＢＬａ  青色表示用粒子
４  隔壁
５、６  電極
１１−１、１１−２、１１−３  セル
１２Ｒ  赤色カラーフィルター
１２Ｇ  緑色カラーフィルター
１２ＢＬ  青色カラーフィルター
１５  絶縁液体
１６  マイクロカプセル
２１  商品陳列スペース
２２  両面表示式長尺型電子情報表示パネル
２３  商品
２４  仕切り板
２５  天井
２６  間仕切り板
２７  中吊り広告取り付け部
２８  信号受信装置部
２９  駆動装置部
３０  電源
３１、３２  引き出し線部
３３、３４  電源側接続用部材
【図１】
2009058804.tif 000003
【図２】
2009058804.tif 000004
【図３】
2009058804.tif 000005
【図４】
2009058804.tif 000006
【図５】
2009058804.tif 000007
【図６】
2009058804.tif 000008
【図７】
2009058804.tif 000009
【図８】
2009058804.tif 000010
【図９】
2009058804.tif 000011
【図１０】
2009058804.tif 000012
【図１１】
2009058804.tif 000013
【図１２】
2009058804.tif 000014
【図１３】
2009058804.tif 000015
【図１４】
2009058804.tif 000016
【図１５】
2009058804.tif 000017
【図１６】
2009058804.tif 000018
【図１７】
2009058804.tif 000019
【図１８】
2009058804.tif 000020
【図１９】
2009058804.tif 000021
【図２０】
2009058804.tif 000022
【図２１】
2009058804.tif 000023
【図２２】
2009058804.tif 000024
【図２３】
2009058804.tif 000025